(57)【要約】    本発明の一実施例による白色度及び付着量の同時測定装置は、試験片と所定の間隔を置いて配置され、試験片に光を照射する発光部と、発光部と試験片との間に配置され、赤外線または可視光線の中のいずれか一つを選択的に透過させるフィルター部と、試験片と所定の間隔を置いて配置され、試験片から反射される赤外線または可視光線の中のいずれか一つを検出する検出部と、検出部と連結され、検出部から検出された赤外線の光量に応じて付着量を算出し、検出部から検出された可視光線の光量に応じて白色度を算出する演算部と、を含み、本発明の一実施例による白色度及び付着量の同時測定装置を用いて白色度及び付着量を同時に測定することができるので、作業効率が増加して設備投資費用を減少させることができる。
2017500576.tif 000002
【特許請求の範囲】
【請求項１】
試験片と所定の間隔を置いて配置され、前記試験片に光を照射する発光部と、
前記発光部と前記試験片との間に配置され、赤外線または可視光線の中のいずれか一つを選択的に透過させるフィルター部と、
前記試験片と所定の間隔を置いて配置され、前記試験片から反射される赤外線または可視光線の中のいずれか一つを検出する検出部と、
前記検出部と連結され、前記検出部から検出された赤外線の光量に応じて付着量を算出し、前記検出部から検出された可視光線の光量に応じて白色度を算出する演算部と、を含む白色度及び付着量の同時測定装置。
【請求項２】
前記フィルター部は、
赤外線の波長領域の光を透過させる少なくとも一つの赤外線フィルターと、
可視光線の波長領域の光を透過させる少なくとも一つの可視光線フィルターと、を含む請求項１に記載の白色度及び付着量の同時測定装置。
【請求項３】
前記フィルター部は、回転可能に配置され、
前記フィルター部は、前記赤外線フィルターまたは前記可視光線フィルターの中のいずれか一つが前記発光部から照射される光の経路に位置するように回転する請求項２に記載の白色度及び付着量の同時測定装置。
【請求項４】
前記フィルター部は、可視光線の波長領域内で互いに異なる波長領域の光を透過させる複数の可視光線フィルターを含む請求項２に記載の白色度及び付着量の同時測定装置。
【請求項５】
前記検出部は、
前記赤外線を検出する赤外線検出器と、
前記可視光線を検出する可視光線検出器と、を含む請求項１に記載の白色度及び付着量の同時測定装置。
【請求項６】
前記検出部は、ハーフミラーをさらに含み、
前記ハーフミラーは、前記試験片から反射される光の一部を前記赤外線検出器または前記可視光線検出器の中のいずれか一つに通過させて、他の一部を残り一つに反射させる請求項５に記載の白色度及び付着量の同時測定装置。
【請求項７】
前記フィルター部と前記試験片との間に配置され、前記フィルター部から透過する光を前記試験片に反射させる第１ミラーと、
前記試験片と前記検出部との間に配置され、前記試験片から反射される光を前記ハーフミラーに反射させる第２ミラーと、をさらに含む請求項１に記載の白色度及び付着量の同時測定装置。
【発明の詳細な説明】
【技術分野】
【０００１】
本発明は、白色度及び付着量の同時測定装置に関する。より具体的には、鋼板の白色度とコーティング層の付着量を同時に測定することができる白色度及び付着量の同時測定装置に関する。
【背景技術】
【０００２】
一般的に、鋼板の耐食性を確保するためには、鋼板に亜鉛などの金属をめっきしたり、樹脂をコーティングする。また、鋼板にコーティングされる樹脂は鋼板の耐食性だけではなく、耐指紋性及び絶縁性などを確保するという利点がある。したがって、樹脂の付着量を正確に測定し、管理する必要がある。
【０００３】
このような樹脂の付着量を測定するために主に使用する方法は、鋼板に赤外線を入射させて、樹脂層から吸収された赤外線量を測定し、これを換算する方法を用いる。
【０００４】
一方、白色度は鋼板表面の品質を評価するのにおいて、重要な要因で、優れた白色度を有する製品がますます要求される傾向にある。したがって、白色度を正確に測定し、管理する必要がある。
【０００５】
このような白色度を測定するために主に使用される方法は、鋼板に可視光を入射させて、鋼板から反射される光量を測定し、これを換算する方法を用いる。
【０００６】
しかし上記のような、白色度と樹脂の付着量を測定する装置は、それぞれ個別に設置されて空間を二重に占めるだけでなく、作業効率が低下する問題がある。また、それぞれの装置が高価なので、投資費用が上昇する問題がある。
【発明の概要】
【発明が解決しようとする課題】
【０００７】
本発明が解決しようとする技術的課題は、白色度と付着量を同時に測定する白色度及び付着量の同時測定装置を提供することにある。
【課題を解決するための手段】
【０００８】
本発明の一実施例によると、試験片と所定の間隔を置いて配置され、前記試験片に光を照射する発光部と、前記発光部と前記試験片との間に配置され、赤外線または可視光線の中のいずれか一つを選択的に透過させるフィルター部と、前記試験片と所定の間隔を置いて配置され、前記試験片から反射される赤外線または可視光線の中のいずれか一つを検出する検出部と、前記検出部と連結され、前記検出部から検出された赤外線の光量に応じて付着量を算出し、前記検出部から検出された可視光線の光量に応じて白色度を算出する演算部と、を含む白色度及び付着量の同時測定装置が提供される。
【０００９】
前記フィルター部は、赤外線の波長領域の光を透過させる少なくとも一つの赤外線フィルターと、可視光線の波長領域の光を透過させる少なくとも一つの可視光線フィルターと、を含むことができる。
【００１０】
前記フィルター部は、回転可能に配置され、前記フィルター部は、前記赤外線フィルターまたは前記可視光線フィルターの中のいずれか一つが前記発光部から照射される光の経路に位置するように回転することができる。また、前記フィルター部は、可視光線の波長領域内で互いに異なる波長領域の光を透過させる複数の可視光線フィルターを含むことができる。
【００１１】
前記検出部は、前記赤外線を検出する赤外線検出器と、前記可視光線を検出する可視光線検出器と、を含むことができる。また、前記検出部は、ハーフミラーをさらに含み、前記ハーフミラーは、前記試験片から反射される光の一部を前記赤外線検出器または前記可視光線検出器の中のいずれか一つに通過させて、他の一部を残り一つに反射させることができる。
【００１２】
一方、本発明の他の実施例による白色度及び付着量の同時測定装置は、前記フィルター部と前記試験片との間に配置され、前記フィルター部から透過する光を前記試験片に反射させる第１ミラーと、前記試験片と前記検出部との間に配置され、前記試験片から反射される光を前記ハーフミラーに反射させる第２ミラーと、をさらに含むことができる。
【発明の効果】
【００１３】
本発明の実施例によると、鋼板の白色度と付着量を同時に測定することができるので、設備空間が確保されるだけでなく、作業効率が改善されることができる。
また、本発明の実施例によると、鋼板の白色度と付着量を同時に測定することができる装置が提供されるので、別の機器を設置する必要がない。したがって、投資費用を減少させることができる。
【図面の簡単な説明】
【００１４】
【図１】本発明の一実施例による白色度及び付着量の同時測定装置を図示する図面。
【図２】本発明の一実施例によるフィルター部を図示する図面。
【図３】本発明の他の実施例による白色度及び付着量の同時測定装置を図示する図面。
【発明を実施するための形態】
【００１５】
本発明は、多様な変更を加えることができ、様々の実施例を有することができるところ、特定の実施例を図面に例示して説明する。しかし、これは本発明を特定の実施形態について限定するものではなく、本発明の思想及び技術範囲に含まれるすべての変更、均等物ないし代替物を含むものと理解すべきである。
【００１６】
第２、第１などのように序数を含む用語は、多様な構成要素を説明するために使用することができるが、前記構成要素は前記用語によって限定されない。前記用語は一つの構成要素を他の構成要素から区別する目的だけで使用される。例えば、本発明の権利範囲を逸脱しない範囲で第２構成要素は第１構成要素として命名することができ、類似に第１構成要素も第２構成要素として命名することができる。及び／またはという用語は、複数の関連する記載項目の組み合わせまたは複数の関連する記載項目の中のいずれかの項目を含む。
【００１７】
ある構成要素が他の構成要素に「連結されて」いるとか「接続されて」いると言及されたときには、その他の構成要素に直接的に連結されているか、または接続されていることもできるが、中間に他の構成要素が存在することもできると理解されるべきである。一方、ある構成要素が他の構成要素に「直接連結されて」いるとか「直接接続されて」いると言及されたときには、中間に他の構成要素が存在しないことと理解されるべきである。
【００１８】
本出願で使用される用語は、ただ、特定の実施例を説明するために使用されるもので、本発明を限定する意図で使用されるものではない。単数の表現は、文脈上明らかに異なるように意味しない限り、複数の表現を含む。本出願で、「含む」または「有する」などの用語は、明細書上に記載された特徴、数字、段階、動作、構成要素、部品またはこれらを組み合わせたものが存在することを指定しようとすることであって、一つまたはそれ以上の他の特徴や数字、段階、動作、構成要素、部品またはこれらを組み合わせたものなどの存在または付加の可能性をあらかじめ排除しないものと理解されるべきである。
【００１９】
別途定義されない限り、技術的または科学的な用語を含めてここで使用されるすべての用語は、本発明が属する技術分野で通常の知識を有する者によって一般的に理解されるものと同じ意味を持っている。一般的に使用される辞書に定義されているような用語は、関連技術の文脈上持つ意味と一致する意味を持つことに解釈すべきであり、本出願で明白に定義しない限り、理想的または過度に形式的な意味に解釈されない。
【００２０】
以下、添付された図面を参照して実施例を詳しく説明するが、図面符号にかかわらず同一または対応する構成要素は、同じ参照番号を付与してこれに対する重複される説明は省略する。
【００２１】
図１は本発明の一実施例による白色度及び付着量の同時測定装置を図示する図面であり、図２は本発明の一実施例によるフィルター部を図示する図面である。
【００２２】
図１ないし図２を参照すると、本発明の一実施例による白色度及び付着量の同時測定装置１００は、発光部１１０、フィルター部１２０、検出部１３０及び演算部１５０を含む。
【００２３】
発光部１１０は、試験片１０と所定の間隔を置いて配置されて、試験片１０に光を照射する。このような試験片１０（以下鋼板）は、例えば、鋼板１０であることができる。このために、発光部１１０は、所定の波長領域の光を発散する光源を含むことができる。このとき、所定の波長領域には赤外線及び可視光線の波長領域を含むことができる。
【００２４】
フィルター部１２０は、発光部１１０と鋼板１０との間に配置され、赤外線または可視光線の中のいずれか一つを選択的に透過させる。例えば、フィルター部１２０は、発光部１１０から照射される所定の波長領域の光の中で赤外線または可視光線の中のいずれか一つの波長領域を有する光を選択的に透過させることができる。このため、フィルター部１２０は、赤外線の波長領域の光を透過させる赤外線フィルター１２１と可視光線の波長領域の光を透過させる可視光線フィルター１２２を含むことができる。また、フィルター部１２０は、図２の図示のように、回転可能に配置されることにより、赤外線フィルター１２１または可視光線フィルター１２２の中のいずれか一つが発光部１１０から照射される光の経路に位置するように回転することができる。
【００２５】
また、フィルター部１２０は、可視光線の波長領域を三つの区間に分割して、図２の図示のように、各区間に当る波長領域の可視光線を透過させる三つの可視光線フィルター１２２ａ、１２２ｂ、１２２ｃを含むことができる。しかし、これに限定されず、フィルター部１２０は、可視光線の波長領域内で互いに異なる波長領域の可視光線を透過させる複数の可視光線フィルター１２２を含むことができる。
【００２６】
検出部１３０は、鋼板１０と所定の間隔を置いて配置され、鋼板１０から反射される赤外線または可視光線の中のいずれか一つを検出することができる。このために、検出部１３０は、赤外線を検出する赤外線検出器１３１及び可視光線を検出する可視光線検出器１３２を含むことができる。
【００２７】
また、検出部１３０はハーフミラー１３３をさらに含むことができる。このようなハーフミラー１３３は、入射する光の一部は透過させ、残りは反射させることができる。例えば、ハーフミラー１３３は、鋼板１０から反射される光の一部を赤外線検出器１３１に透過させ、光の残りは可視光線検出器１３２に反射させることができる。
【００２８】
演算部１５０は、検出部１３０と連結され、検出部１３０から検出された赤外線の光量に応じて付着量を算出し、前記検出部１３０から検出された可視光線の光量に応じて白色度を算出する。例えば、演算部１５０は、赤外線検出器１３１から検出された赤外線の光量に応じて鋼板１０にコーティングされた樹脂１１の付着量を算出することができる。また、演算部１５０は、可視光線検出器１３２から検出された可視光線の光量に応じて鋼板１０の白色度を算出することができる。
【００２９】
一方、図３は本発明の他の実施例による白色度及び付着量の同時測定装置１００を図示する図面である。
【００３０】
図３を参照すると、本発明の他の実施例による白色度及び付着量の同時測定装置１００は、第１ミラー１４０と、第２ミラー１４１をさらに含むことができる。
【００３１】
第１ミラー１４０は、フィルター部１２０と鋼板１０との間に配置され、フィルター部１２０から透過される光を鋼板１０に反射させる。また、第２ミラー１４１は、鋼板１０と検出部１３０との間に配置され、鋼板１０から反射される光をハーフミラー１３３に反射させる。このように、本発明の他の実施例による白色度及び付着量の同時測定装置１００が第１ミラー１４０及び第２ミラー１４１を含むことによって、光の経路が調節されることができるので、装置がもっと小型に製作されることができる。したがって、設備空間を確保することができる。
【００３２】
前記では、本発明の好ましい実施例を参照して説明したが、当該技術分野の熟練した当業者は、添付の特許請求の範囲に記載された本発明の思想及び領域から逸脱しない範囲内で本発明を多様に修正及び変更できることが理解できるであろう。
【符号の説明】
【００３３】
１０：試験片（鋼板）
１１：樹脂コーティング層
１００：白色度及び付着量の同時測定装置
１１０：発光部
１２０：フィルター部
１２１：赤外線フィルター
１２２：可視光線フィルター
１３０：検出部
１３１：赤外線検出器
１３２：可視光線検出器
１３３：ハーフミラー
１４０：第１ミラー
１４１：第２ミラー
１５０：演算部
【図１】
2017500576.tif 000003
【図２】
2017500576.tif 000004
【図３】
2017500576.tif 000005
【手続補正書】
【提出日】平成28年6月22日(2016.6.22)
【手続補正１】
【補正対象書類名】図面
【補正対象項目名】図１
【補正方法】変更
【補正の内容】
【図１】
2017500576.tif 000006
【国際調査報告】
2017500576.tif 000007
2017500576.tif 000008
2017500576.tif 000009
2017500576.tif 000010